(57)【特許請求の範囲】
【請求項１】
使用者が把持する手摺棒と、
前記手摺棒が取り付けられる手摺取付部を有しており、給電配線及び発光体を収容する収容凹所が形成された壁面に取り付けられるブラケット本体と、
前記ブラケット本体の収容凹所を覆うカバーと、
前記ブラケット本体内に収容された発光体と、
前記発光体に給電するための給電配線とを備えており、
前記手摺棒には、前記給電配線を嵌め込む配線溝が形成されており、
前記ブラケット本体の前記手摺取付部には、前記配線溝に嵌め込まれる位置決め用ガイドが凸設されているとともに、前記給電配線を外部から前記ブラケット本体内に挿通するための給電配線挿通孔が前記位置決め用ガイドの両側方から側壁にかけて隣接して形成されていることを特徴とする照明付手摺。
【請求項２】
前記ブラケット本体は、その底面が直下、あるいは直下から前記壁面寄りに向かうように形成されており、
前記発光体は、発光部が前記底面に設けられた出光開口から奥まった位置に配設されていることを特徴とする請求項１に記載の照明付手摺。
【請求項３】
前記収容凹所に引き込まれた前記給電配線と、前記発光体とを電気的に接続するカプラーが、前記収容凹所に収容されていることを特徴とする請求項１または２に記載の照明付手摺。
【発明の詳細な説明】
【技術分野】
【０００１】
本発明は、住宅等の階段や廊下に設置される照明付手摺に関する。
【背景技術】
【０００２】
最近、新築時やリフォーム時はもとより、既存の住宅等においても、廊下や階段等の壁面に歩行ガイド用あるいは歩行補助用の手摺を取り付けることが非常に多くなっている。
【０００３】
このような手摺のなかでも、夜間等の暗がりで安全に歩行できるように廊下や階段を照らすランプを備えるものが開発されている（例えば、特許文献１）。
【０００４】
特許文献１の手摺１は、図４に示すように、手摺棒２と、ブラケット支持板３を介して壁面４に取り付けられているとともに、手摺棒２を支持するブラケット５と、ブラケット５の傾斜側面５ａに取り付けられた発光体６とで構成されている。
【０００５】
この手摺１において、発光体６が取り付けられたブラケット５の傾斜側面５ａは、手摺１が設けられた廊下や階段の中央寄り斜め下方に向けられており、発光体６を点灯することによって廊下や階段の中央寄りを照らすことができるので、夜間等における歩行の安全性を高めることができる。
【先行技術文献】
【特許文献】
【０００６】
【特許文献１】特開２００３−１６１０１８号公報
【特許文献２】特開平８−１２０８７５号公報
【発明の概要】
【発明が解決しようとする課題】
【０００７】
しかしながら、特許文献１の手摺１には問題があった。すなわち、上述のように、手摺１には発光体６が取り付けられており、この発光体６に給電するための給電配線７は、ブラケット５のブラケット支持板３に対する取付面５ｂに設けられた配線挿通孔５ｃを通じて、ブラケット支持板３の表面に設けられた配線収容溝３ａに収容されるようになっており、別のブラケット５から延びる給電配線７と結線させるカプラー（図示せず）も当該配線収容溝３ａに収容されるようになっている。
【０００８】
このように、手摺１では、給電配線７がブラケット５の取付面５ｂの設けられた配線挿通孔５ｃを出た直後にほぼ直角に折れ曲がるようにしてブラケット支持板３の配線収容溝３ａに収容されることから、ブラケット５をブラケット支持板３に取り付けた後で配線収容溝３ａおよび配線挿通孔５ｃを通じて給電配線７を外部から入れ込むことは殆ど不可能であり、加えて、直角に折れ曲がるようにして収容された給電配線７は、折れ曲がり部８であたかも固定されたような状態になってしまいスムーズに摺動できなくなる。
【０００９】
このため、ブラケット５をブラケット支持板３に取り付ける前に、給電配線７を予め必要な長さだけブラケット５内に入れ込んでおかねばならず、給電配線７を気にかけつつブラケット５を取り付けなければならないことから、現場での施工に手間がかかっていた。
【００１０】
加えて、ブラケット５をブラケット支持板３に取り付けた後から余分な給電配線７をブラケット５に押し入れることができず、当該余分な給電配線７を配線収容溝３ａで始末しなければならなくなることから、現場での施工にさらに手間がかかるだけでなく、給電配線７がはみ出して露出するおそれがある等、仕上がり状態の美観を損なうおそれもあった。
【００１１】
また、特許文献２に開示された階段手摺り装置では、手摺棒の下面に凹溝を設け、当該凹溝に対してブラケットから延出された連結金具を嵌め込んだ後、給電配線を収容するようになっているが、連結金具が嵌め込まれた凹溝に給電配線を収容するのは容易ではなく、特許文献１の技術と同様に、現場での施工に手間がかかっていた。
【００１２】
本発明は、このような従来技術の問題点に鑑みて開発されたものである。それゆえに本発明の主たる課題は、施工時において、発光体に給電するための給電配線を簡単かつ確実にブラケット内に収容することができ、施工の手間をかけることなく仕上がり状態の美観を確保することができる照明付手摺を提供することにある。
【課題を解決するための手段】
【００１３】
請求項１に記載した発明は、
「使用者が把持する手摺棒１２と、
前記手摺棒１２が取り付けられる手摺取付部３２を有しており、給電配線１８及び発光体１６を収容する収容凹所２６が形成された壁面Ａに取り付けられるブラケット本体２２と、
前記ブラケット本体２２の収容凹所２６を覆うカバー２４と、
前記ブラケット本体２２内に収容された発光体１６と、
前記発光体１６に給電するための給電配線１８とを備えており、
前記手摺棒１２には、前記給電配線１８を嵌め込む配線溝２０が形成されており、
前記ブラケット本体２２の前記手摺取付部３２には、前記配線溝２０に嵌め込まれる位置決め用ガイド７０が凸設されているとともに、前記給電配線１８を外部から前記ブラケット本体２２内に挿通するための給電配線挿通孔５６が前記位置決め用ガイド７０の両側方から側壁にかけて隣接して形成されていることを特徴とする照明付手摺１０」である。
【００１４】
本発明が適用された照明付手摺１０では、ブラケット本体２２の手摺取付部３２において、手摺棒１２の配線溝２０に嵌め込まれる位置決め用ガイド７０が凸設されており、また、当該位置決め用ガイド７０の両側方に隣接する位置には、給電配線１８を外部からブラケット本体２２内に挿通するための給電配線挿通孔５６が形成されている。
【００１５】
これにより、図３に示すように、位置決め用ガイド７０を手摺棒１２の配線溝２０に嵌め込むようにして、手摺棒１２をブラケット本体２２の手摺取付部３２に取り付け（図３（ａ））、然る後、給電配線１８の先端を配線溝２０の内側から給電配線挿通孔５６を通してブラケット本体２２内に送り込むとき、給電配線挿通孔５６と配線溝２０の底との間には、少なくとも手摺取付部３２から凸設された位置決め用ガイド７０の高さ分の距離が確保されているので、給電配線１８の先端を位置決め用ガイド７０の側端に対してやや下向きに押しつけることで、当該給電配線１８の先端を位置決め用ガイド７０に隣接して形成された給電配線挿通孔５６に容易に滑り込ませることができる（図３（ｂ））。また、先端が給電配線挿通孔５６に入った後は、給電配線１８をブラケット本体２２内に容易に手繰り入れることができる（図３（ｃ））。
【００１６】
本発明の照明付手摺１０によれば、ブラケット本体２２に手摺棒１２を取り付ける作業と、給電配線１８をブラケット本体２２内に入れ込む作業とを分けることができるので、現場での施工が容易になる。
【００１７】
加えて、ブラケット本体２２の取付後であっても、余分な給電配線１８を当該ブラケット本体２２内に押し入れることができるので、容易に、給電配線１８がはみ出して露出するおそれの無い、すっきりとした仕上がり状態にすることができる。
【００１８】
請求項２に記載した発明は、請求項１の照明付手摺１０に関し、
「前記ブラケット本体２２は、その底面３６が直下、あるいは直下から前記壁面Ａ寄りに向かうように形成されており、
前記発光体１６は、発光部１７が前記底面３６に設けられた出光開口４４から奥まった位置に配設されている」ことを特徴とする。
【００１９】
上述した特許文献１の手摺１にはさらに別の問題があった。すなわち、手摺１におけるブラケット５の傾斜側面５ａは通路や階段の中央寄り斜め下方に向けられており、当該手摺１を正面から見た場合、ブラケット５の傾斜側面５ａに配置された発光体６が直視できるようになっていることから、使用者（とりわけ、背の低い子供）の目に発光体６からの直射光が入ってしまい、不快な眩しさを感じさせてしまうおそれがあり、また、手摺１の外観上、発光体６が必要以上に目立ってしまい、手摺棒２やブラケット５のデザイン性を向上させることが困難という問題があった。
【００２０】
また、複数のブラケット５を用いて長尺の手摺棒２を支持する場合において、全てのブラケット５に発光体６を取り付ける必要がなく、例えば、所定間隔で並んでいるブラケット５群のひとつおきに発光体６を取り付ける態様では、発光体６が取り付けられたブラケット５と、そうでないブラケット５とが交互に並ぶことになる。このとき、上述のように発光体６の有無が正面から一目でわかることから、手摺１全体としての統一感を得ることが困難という問題もあった。特に傾斜側面５ａに発光体６からの光を拡散透過させる透光性乳白色樹脂カバーを設けるような場合、このような樹脂カバーが取り付けられたブラケット５と、樹脂カバーなしブラケット５とではその外観形状が明らかに異なり、全体としての統一感はさらに損なわれることになる。
【００２１】
このような問題に対し、本発明のブラケット１４では、出光開口４４が設けられた底面３６は、直下、あるいは直下から壁面Ａ寄りに向かうように設定されていることから、当該底面３６は、照明付手摺１０の正面方向から見えないようになっている。このように底面３６が見えない以上、当該底面３６に設けられた出光開口４４も直視できず、しかも、発光体１６はブラケット１４内において、その発光部１７が出光開口４４から奥まった位置に配設されていることから、使用者が発光体１６を直視することはなく不快な眩しさを感じることがない。また、発光体１６は、直下、あるいは直下から壁面Ａ寄りに出光するので、発光体１６からの光の一部が壁面Ａへの間接照明にもなり、柔らかで洗練された雰囲気を醸し出すことができる。
【００２２】
したがって、本発明の照明付手摺１０によれば、使用者が正面から発光体の発光面を直視できないようになっているので、使用者に不快な眩しさを感じさせることがなく、デザイン性を向上させることが容易で、さらに、発光体の取り付けの有無に拘わらず正面視外観が共通しており、全体としての統一感を得ることができる。
【００２３】
請求項３に記載した発明は、請求項１または２に記載の照明付手摺１０に関し、
「前記収容凹所２６に引き込まれた前記給電配線１８と、前記発光体１６とを電気的に接続するカプラー４６が、前記収容凹所２６に収容されている」ことを特徴とする。
【００２４】
この発明によれば、給電配線１８と発光体１６とを電気的に接続するカプラー４６がブラケット本体２２の収容凹所２６に収容されているので、給電配線１８と発光体１６との結線作業（すなわち、カプラー４６の接続作業）を、ブラケット１４を壁面Ａに固定した後で楽に行うことが可能となり、施工性が著しく向上する。また、多少の給電配線１８が余ったとしても、それらを収容凹所２６に入れてしまうことにより、すっきりと見栄えのよい配線仕上げが可能となる。
【発明の効果】
【００２５】
この発明によれば、施工時において、ブラケットに手摺棒を取り付けた後から、給電配線を簡単かつ確実にブラケット内に収容することができるので、施工の手間をかけることなく仕上がり状態の美観を確保することができる。
【図面の簡単な説明】
【００２６】
【図１】本発明の照明付手摺を示す分解斜視図である。
【図２】ブラケットの断面図である。
【図３】ブラケットの手摺取付部に手摺棒を取り付け、然る後、給電配線をブラケット内に入れ込む手順を示す図である。
【図４】従来技術を示す断面図である。
【発明を実施するための形態】
【００２７】
以下、本発明が適用された実施例について、図１および図２を用いて説明する。本発明に係る照明付手摺１０は、大略、手摺棒１２と、ブラケット１４と、発光体１６と、給電配線１８で構成されている。
【００２８】
手摺棒１２は、使用者が把持する丸棒材であり、例えば、ムク材、集成材、単板積層材（ＬＶＬ）、ＭＤＦ等の木質材、ＡＢＳ樹脂、オレフィン系樹脂等の合成樹脂、あるいは、ステンレスやアルミニウム等の金属を使用することができる。これらの中でも、木質材は、触れたときの感触が良く、暖かみが感じられることから好適である。また、手摺棒１２の形状についても、丸棒に限られず、四角棒や三角棒といった角棒状のもの、さらに、その表面に意匠が施されたようなものであってもよい。
【００２９】
この手摺棒１２の下面１２ａには、発光体１６に給電する給電配線１８を嵌め込んで配線するための配線溝２０が形成されている（後述するように、この配線溝２０には、給電配線１８のみならず、ブラケット１４の手摺取付部３２に凸設された位置決め用ガイド７０も嵌め込まれる。）。この配線溝２０の断面形状も、図示するような四角形状のものに限られず、略半円形状や三角形状でもよい。
【００３０】
ブラケット１４は、階段や廊下等の壁面Ａに取り付けられ、手摺棒１２を支持するための部材であり、ブラケット本体２２とカバー２４とで構成されている。なお、ブラケット本体２２とカバー２４とを一体的に構成してもよいが、後述するように、給電配線１８を収容凹所２６に収納し易いことから、本実施例のようにブラケット１４をブラケット本体２２とカバー２４とに分離可能に構成するのが好適である。また、カバー２４の位置は、ブラケット本体２２の手前側に限られない。
【００３１】
ブラケット本体２２は、発光体１６に給電する給電配線１８、および給電配線１８と発光体１６と電気的に接続するカプラー４６を収容する収容凹所２６が形成され、壁面Ａに取り付けられる、亜鉛ダイカスト、ステンレス、あるいはアルミニウム合金等の金属製部材であり、本実施例では、図示するように、その一端面２８ａが壁面Ａに取り付けられる基部２８と、基部２８の他端部から上方に延び、その上端面に手摺取付部３２が形成された支持部３４とで一体形成されている（もちろん、ブラケット本体２２の形状は図示するものに限られず、例えば、支持部３４を省き、基部２８の他端に直接手摺棒１２を取り付けてもよい。）。また、ブラケット本体２２の両側面には段３５が形成されており、カバー２４における両側面材４２（後述）の端面が当て止まるようになっている。
【００３２】
支持部３４の手摺取付部３２には、手摺棒１２の配線溝２０に嵌め込まれる、当該配線溝２０の長手方向に延びる細長形状の位置決め用ガイド７０が凸設されているとともに（図２参照）、当該位置決め用ガイド７０の長手方向両側方に隣接して、収容凹所２６と外部（本実施例では、手摺棒１２の配線溝２０に対応する位置）とを連通して給電配線１８を外部から収容凹所２６に挿通するための、一対の給電配線挿通孔５６が形成されている。
【００３３】
なお、給電配線挿通孔５６の位置は、上述のように、位置決め用ガイド７０の長手方向両側方に隣接する位置であればよいが、本実施例のように、さらにブラケット１４の側壁にかけて給電配線挿通孔５６を設ける方が、ブラケット１４に手摺棒１２を取り付けた後、ブラケット１４の側方から給電配線１８を収容凹所２６に入れ込み易い点で好適である。
【００３４】
また、ブラケット本体２２における基部２８の底面３６は、直下、あるいは直下から壁面Ａ寄りに向かうように形成されており（図示された底面３６は、直下に向かうようになっている。）、ブラケット本体２２の収容凹所２６において、発光体１６が、その発光部１７をこの底面３６と平行にして、かつ、底面３６からやや奥まった位置に配設されている。なお、本実施例では、発光体１６が面状の発光部１７を有する面発光体である場合について記載しているが、面発光体以外の発光体１６（例えば、白熱灯やハロゲンランプ等の点発光体）を使用する場合は、当該発光体１６の光軸が底面３６と直交するようにして、点状の発光部１７を収容凹所２６における底面３６からやや奥まった位置に配設することになる。
【００３５】
さらに、基部２８における。壁面Ａに対向する一端面２８ａ側には、図２に示すように、ブラケット本体２２を壁面Ａに固定する際に使用する木ネジＢを挿通する挿通孔６０が形成されている。さらに、支持部３４の手摺取付部３２には、手摺棒１２をブラケット本体２２に固定するための木ネジＣを挿通する挿通孔６２が形成されている。
【００３６】
カバー２４は、ブラケット本体２２に形成された収容凹所２６を覆う断面コ字状の合成樹脂（例えば、ポリカーボネート）製部材であり、ブラケット本体２２の基部２８および支持部３４の形状に対応する、基部カバー３８および支持部カバー４０で一体的に形成されている。また、上述のように、ブラケット本体２２にカバー２４を取り付けたとき、カバー２４における両側面材４２の端面がブラケット本体２２の両側面に形成された段３５に当て止まるようになっている。
【００３７】
また、カバー２４の基部カバー３８は、当該カバー２４をブラケット本体２２に取り付けたとき、底面３６に対して平行となるように形成されており、当該基部カバー３８の略中央部には、発光体１６から放射された光を外部に出光する出光開口４４が設けられている。
【００３８】
発光体１６は、給電配線１８を通じて給電されることによって発光するものであり、本実施例では、ＬＥＤと光拡散板とを組み合わせることによって、当該光拡散板が面（＝発光面）で発光するようにしたものを用いているが、これに限られるものではなく、上述のように、白熱灯やハロゲンランプを使用することもできる。また、発光体１６からは、一対の発光体側給電線４８が伸びており、その先端には、給電配線１８の先端に取り付けられた雄カプラー５０に対応する雌カプラー５２が取り付けられている（もちろん、雄雌は逆でもよい）。なお、本実施例では、発光体１６は、断面Ｌ字状の発光体ブラケット６４を介してブラケット本体２２にボルト留めされているとともに、該発光体ブラケット６４がブラケット本体２２の内側面に形成された断面コ字状のスロット溝６６に差し込まれることによって位置決めされている。
【００３９】
次に、本実施例の照明付手摺１０を組み立てる手順について説明する。予め、配線溝２０を形成した所定本数の手摺棒１２、および必要な数のブラケット１４を準備しておく。また、廊下等のコーナー部に照明付手摺１０を適用する場合には、２本の手摺棒１２を繋ぐジョイント５４（例えば、９０°に曲げることのできるフレキシブルな管であって、内部が空洞で給電配線１８を通すことができるもの。）を使用するとよい。さらに、全てのブラケット１４に発光体１６を取り付けず、例えば、ひとつおきのブラケット１４から発光させるような場合には、所定数のブラケット１４にのみ発光体１６を取り付けておく。
【００４０】
準備したブラケット１４のブラケット本体２２からカバー２４を取り外し、当該ブラケット本体２２を壁面Ａにおける所定の位置に木ネジＢで固定する（本実施例では、ブラケット本体２２の収容凹所２６にドライバーの先端を差し入れて、挿通孔６０に挿通した木ネジＢを回すことになる。）。
【００４１】
ブラケット本体２２を壁面Ａに固定した後、位置決め用ガイド７０を配線溝２０に合わせながら、ブラケット本体２２における支持部３４の手摺取付部３２に手摺棒１２を載置する。然る後、ブラケット本体２２と手摺棒１２とを挿通孔６２に挿通した木ネジＣで固定する。
【００４２】
手摺棒１２をブラケット本体２２に固定した後、先端に雄カプラー５０が取り付けられた給電配線１８を支持部３４の上端部に形成された給電配線挿通孔５６を介して外部から収容凹所２６に挿通し、然る後、該収容凹所２６において発光体１６の発光体側給電線４８の先端に取り付けられた雌カプラー５２を雄カプラー５０に接続して、給電配線１８と発光体１６とを電気的に接続する。
【００４３】
全てのブラケット本体２２において雌カプラー５２と雄カプラー５０との接続が完了した後、各ブラケット本体２２間の給電配線１８を配線溝２０に嵌め込み（このとき、未だ余分な給電配線１８が配線溝２０に残っているようであれば、ブラケット本体２２の収容凹所２６に手繰り入れてまとめる。）、各ブラケット本体２２にカバー２４を取り付けて照明付手摺１０が完成する。
【００４４】
なお、手摺棒１２の配線溝２０に給電配線１８を嵌め込んだ後、より見栄えを良くするため、図１に示すように、断面コ字状の溝カバー５８を配線溝２０に嵌めていってもよい。
【００４５】
照明付手摺１０が完成した後、夜間等必要に応じて給電配線１８を通じて各発光体１６に給電することにより、発光体１６が発光して廊下や階段等の壁際を照らす。
【００４６】
本実施例の照明付手摺１０では、ブラケット１４の手摺取付部３２において、手摺棒１２の配線溝２０に嵌め込まれる位置決め用ガイド７０が凸設されており、また、当該位置決め用ガイド７０の両側方に隣接する位置には、給電配線１８を外部からブラケット１４内の収容凹所２６に挿通するための給電配線挿通孔５６が形成されている。
【００４７】
これにより、図３に示すように、位置決め用ガイド７０を手摺棒１２の配線溝２０に嵌め込むようにして、手摺棒１２をブラケット１４の手摺取付部３２に取り付け（図３（ａ））、然る後、給電配線１８の先端を配線溝２０の内側から給電配線挿通孔５６を通してブラケット１４内に送り込むとき、給電配線挿通孔５６と配線溝２０の底との間には、少なくとも手摺取付部３２から凸設された位置決め用ガイド７０の高さ分の距離が確保されているので、給電配線１８の先端を位置決め用ガイド７０の側端に対してやや下向きに押しつけることで、当該給電配線１８の先端を位置決め用ガイド７０に隣接して形成された給電配線挿通孔５６に容易に滑り込ませることができる（図３（ｂ））。また、先端が給電配線挿通孔５６に入った後は、給電配線１８をブラケット１４内に容易に手繰り入れることができる（図３（ｃ））。
【００４８】
また、出光開口４４が設けられた底面３６は、直下、あるいは直下から壁面Ａ寄りに向かうように設定されていることから、当該底面３６は、照明付手摺１０の正面方向から見えないようになっており、底面３６が見えない以上、当該底面３６に設けられた出光開口４４も直視できず、しかも、発光体１６はブラケット１４内において、その発光部１７が出光開口４４から奥まった位置に配設されていることから、使用者が発光体１６を直視することはなく不快な眩しさを感じることがない。
【００４９】
さらに、発光体１６は、直下、あるいは直下から壁面Ａ寄りに出光するので、発光体１６からの光の一部が壁面Ａへの間接照明にもなり、柔らかで洗練された雰囲気を醸し出すことができる。
【００５０】
以上のことから、本発明の照明付手摺１０によれば、ブラケット１４に手摺棒１２を取り付ける作業と、給電配線１８をブラケット１４内に入れ込む作業とを分けることができるので、現場での施工が容易になる。加えて、ブラケット１４の取付後であっても、余分な給電配線１８を当該ブラケット１４内に押し入れることができるので、容易に、給電配線１８がはみ出して露出するおそれの無い、すっきりとした仕上がり状態にすることができる。
【００５１】
また、使用者が正面から発光体１６の発光部１７を直視できないようになっているので、使用者に不快な眩しさを感じさせることがなく、デザイン性を向上させることが容易で、さらに、発光体１６の取り付けの有無に拘わらず正面視外観が共通しており、全体としての統一感を得ることができる。
【００５２】
また、給電配線１８と発光体１６とを電気的に接続するカプラー４６がブラケット本体２２の収容凹所２６に収容されているので、給電配線１８と発光体１６との結線作業（すなわち、カプラー４６の接続作業）を、ブラケット１４を壁面Ａに固定した後で楽に行うことが可能となり、施工性が著しく向上する。また、多少の給電配線１８が余ったとしても、それらを収容凹所２６に入れてしまうことにより、すっきりと見栄えのよい配線仕上げが可能となる。
【符号の説明】
【００５３】
１０…照明付手摺
１２…手摺棒
１４…ブラケット
１６…発光体
１７…発光部
１８…給電配線
２０…配線溝
２２…ブラケット本体
２４…カバー
２６…収容凹所
２８…基部
３２…手摺取付部
３４…支持部
３５…段
３６…（基部の）底面
３８…基部カバー
４０…支持部カバー
４２…（カバーの）両側面材
４４…出光開口
４６…カプラー
４８…発光体側給電線
５０…雄カプラー
５２…雌カプラー
５４…ジョイント
５６…給電配線挿通孔
５８…溝カバー
６０…挿通孔
６２…挿通孔
６４…発光体ブラケット
６６…スロット溝
７０…位置決め用ガイド
Ａ  …壁面
Ｂ  …木ネジ
Ｃ  …木ネジ
【図１】
0005416071.tif 000002
【図２】
0005416071.tif 000003
【図３】
0005416071.tif 000004
【図４】
0005416071.tif 000005